(57)【特許請求の範囲】
【請求項１】
２枚の片体を貼合わせた複数の頁片と、表紙部同士を除く該頁片の隣り合う下端を、隣り合う前記頁片の開く角度を２等分する山折れ線を有する連接片で連接し、該連接片上に立体片を有し、表紙部の片体を閉じると前記立体片が折り曲げられ冊子体の形となる立体絵本において、背を有し、前記表紙部を３６０度開いて隣合わせにしたとき、前記背の幅の距離を調整する手段を設けたことを特徴とする立体絵本。
【請求項２】
前記背の幅の距離を調整する手段が、表紙部となる頁片の外側に短冊を交互に差し込み、固定しないでフリーにして、表紙部を開くと前記短冊が背の距離差し込まれることで行われることを特徴とする請求項１記載の立体絵本。
【請求項３】
前記複数の頁片が５で前記表紙部を３６０度開いて隣合わせにしたとき、各頁片の開いた角度が略９０度であることを特徴とする請求項１又は請求項２記載の立体絵本。
【請求項４】
前記表紙部を３６０度開いたとき、その状態で保持する保持手段を有することを特徴とする請求項１乃至請求項３のいずれか一つに記載の立体絵本。
【請求項５】
前記連接片及び／又は頁片の小口天部の角をカットしたことを特徴とする請求項１乃至請求項４のいずれか一つに記載の立体絵本。
【請求項６】
前記請求項１乃至請求項５のいずれか一つに記載の立体絵本を、表表紙・背・裏表紙を連接した片体に立体絵本保持部を有するジャケットに保持したことを特徴とする立体絵本。
【発明の詳細な説明】
【０００１】
【発明の属する技術分野】
本発明は、本を開いたとき、平面となる連接片上に立体片を有する立体絵本に関する。
【０００２】
【従来の技術】
従来の技術としては、本発明の図３及び図４に示してある背１１がなく、各頁片を糊着けした部分が露出されていた。そのため汚れが付きやすく、体裁もよくないものであった。
【０００３】
【発明が解決しようとする課題】
本発明は、上記問題点を解決すべく、上記のような立体絵本において、糊着け部分が露出しないように、背のある表紙を有する立体絵本を提供することを課題とする。
【０００４】
【課題を解決するための手段】
請求項１に記載の発明は、２枚の片体を貼合わせた複数の頁片と、表紙部同士を除く該頁片の隣り合う下端を、隣り合う前記頁片の開く角度を２等分する山折れ線を有する連接片で連接し、該連接片上に立体片を有し、表紙部の片体を閉じると前記立体片が折り曲げられ冊子体の形となる立体絵本において、背を有し、前記表紙部を３６０度開いて隣合わせにしたとき、前記背の幅の距離を調整する手段を設けたことを特徴とする立体絵本である。
このような構成としたので、前記表紙部を３６０度開いて隣合わせにしたときでも背がじゃまにならず、背があるので汚れがつきにくく、糊着け部分が露出しないので体裁もよい。
【０００５】
請求項２に記載の発明は、前記背の幅の距離を調整する手段が、表紙部となる頁片の外側に短冊を交互に差し込み、固定しないでフリーにして、表紙部を開くと前記短冊が背の幅の距離差し込まれることで行われることを特徴とする請求項１記載の立体絵本である。
このような構成としたので、短冊部分が背の幅の距離差し込まれ、距離が短くなり、背がじゃまにならなくなる。
【０００６】
請求項３に記載の発明は、前記複数の頁片が５で前記表紙部を３６０度開いて隣合わせにしたとき、各頁片の開いた角度が略９０度であることを特徴とする請求項１又は請求項２記載の立体絵本である。
このような構成としたので、前記立体絵本を開いたとき、各頁片と連接片が作る空間が略立方体又は直方体となり、室内を表現したい場合とか自然な空間が得られ好ましい。
【０００７】
請求項４に記載の発明は、前記表紙部を３６０度開いたとき、その状態で保持する保持手段を有することを特徴とする請求項１乃至請求項３のいずれか一つに記載の立体絵本である。
このような構成としたので、全開した状態で固定可能となる。
【０００８】
請求項５に記載の発明は、前記連接片及び／又は頁片の小口天部の角をカットしたことを特徴とする請求項１乃至請求項４のいずれか一つに記載の立体絵本である。
このような構成としたので、デザイン的に角部がとれ、丸にのある安心した優しい感覚が得られる。
【０００９】
請求項６に記載の発明は、前記請求項１乃至請求項５のいずれか一つに記載の立体絵本を、表表紙・背・裏表紙を連接した片体に立体絵本保持部を有するジャケットに保持したことを特徴とする立体絵本である。
このような構成としたので、本発明の立体絵本より大きいジャケットにより見た目の宣伝効果が得られる。本発明の立体絵本は背があり担体でも本として陳列可能であるが更に、目立つように工夫できる。
【００１０】
【発明の実施の形態】
実施の形態を図面を用いて詳細に説明する。
図１は、本発明の一実施の形態を示す斜視説明図である。
１は立体絵本、２は頁片、３は片体、４は表紙部、５は連接片、６は山折れ線、７は立体片、８は開いた角度、９は保持手段である。
図１は片体が５（表紙部含む）の場合を示したものである。表表紙と裏表紙を開いて３６０度回転し、保持手段９で挟んで固定した状態である。
保持手段９としては、クリップのように２枚の表紙部４を挟んで固定する方法や立体絵本の上部中央の十字のところに十字の溝のある部材を嵌合する方法、表紙に紐を設けて結わく等が考えられるが、特に限定されるものではない。
【００１１】
図２は、図１の状態の平面説明図である（立体片７と保持手段９は省略）。
頁片２は片体３を貼り合わせてある。表紙部４、４も同様であるが、それらの間には連接片５がない。材質としては、紙、合成紙、プラスチック等が使用可能であるが、コスト、廃棄等を考慮すると紙が好ましい。
【００１２】
図３は、図１の立体絵本を閉じる途中の状態の説明図である。表紙部４を閉じる方向に回転すると、連接片５の山折れ線６で折れ、立体片７（図では省略）も平面になろうとする。
図４は立体絵本１を閉じた状態を示す説明図である。表紙部４は短冊１０、１０を有し、表紙部４を開いていくと背１１側に付いている短冊１０が小口側に入り込んでいく。
【００１３】
図５は、本発明の一実施の形態を示す説明図である。立体片７は周囲の情報（絵、文字、記号等）に関連する物、人物、風景、静物、生物、動物、乗物等が使用される。
【００１４】
図６は、本発明の立体絵本の頁片２（表紙部４を含む）と連接片５の角を丸くした実施の形態を示す説明図である。基本的な構成が備わっていれば、周囲の形状は任意に変えることができる。
【００１５】
図７は、表表紙１２、背１４、裏表紙１３と立体絵本保持部１５を有するジャケット１６を示す説明図である。本発明の立体絵本は背を有する表紙が付いていて、単独でも本として棚に飾って売ることができるが、もっと豪華な表紙等を付けて広告効果を狙うこともできる。
図８は、図７のジャケット１６の立体絵本保持部１５に立体絵本１を入れた状態を示す説明図である。
【００１６】
図９は、本発明の立体絵本の製造方法の説明図である。片体３がＡ，Ｂ，Ｃ，Ｄのように折り目（矢印の部分）を介して連接している。まず片体３（Ａ）を片体（Ｂ）の方へ９０度折り、片体３（Ｂ）を片体３（Ｃ）の方へ９０度折り、片体３（Ｄ）を片体３（Ｃ）の方へ折り、外側から片体３（Ａ）の下部に貼着する。片体３（Ｃ）は底部であり、山折れ線６を有する。
以上のように折り、貼着すると図１０のような基本の形状ができる。これを順次片体３（Ｂ）と片体（Ａ）を貼着していけばよい。そして最後に表紙部を細工し、各山折れ線６に立体片を設ければ立体絵本が出来上がる。以上の順番は前後してもよい。
【００１７】
【実施例】
以下図面を用いて実施例を説明する。
＜実施例１＞
厚さ約０．５ｍｍの白色ボール紙を用いて、オフセット枚葉印刷機で多色印刷し、図９のような単位の大きさに打ち抜いた。図１０のようにしたものを４つ貼着し、表紙部には図４のような短冊の背の幅を調整する手段を設けた。絵柄は図５に示した様な絵柄と立体片を設けた。
【００１８】
＜実施例２＞
実施例１と同様に製造した立体絵本を図８に示すジャケットに収納した。
ジャケットの表紙は厚さ１．５ｍｍのボール紙を用いた。
【００１９】
【発明の効果】
請求項１に記載の発明は、前記表紙部を３６０度開いて隣合わせにしたときでも背がじゃまにならず、背があるので汚れがつきにくく、糊着け部分が露出しないので体裁もよい。
【００２０】
請求項２に記載の発明は、短冊部分が背の幅の距離差し込まれ、背の分だけ距離が短くなり、背がじゃまにならなくなる。
【００２１】
請求項３に記載の発明は、前記立体絵本を開いたとき、各頁片と連接片が作る空間が略立方体又は直方体となり、室内を表現したい場合とか自然な空間が得られ好ましい。
【００２２】
請求項４に記載の発明は、保持手段を有するので全開した状態で固定可能となる。
【００２３】
請求項５に記載の発明は、デザイン的に角部がとれ、丸味のある安心した優しい感覚が得られる。
【００２４】
請求項６に記載の発明は、本発明の立体絵本より大きいジャケットにより見た目の宣伝効果が得られる。本発明の立体絵本は背があり担体でも本として陳列可能であるが更に、目立つように工夫できる。
【図面の簡単な説明】
【図１】本発明の立体絵本の一実施の形態を示す斜視説明図である。
【図２】図１の立体絵本の平面説明図である。
【図３】図１の立体絵本の閉じる途中の説明図である。
【図４】図１の立体絵本の閉じた状態を示す説明図である。
【図５】本発明の立体絵本の一実施の形態を示す説明図である。
【図６】本発明の別の立体絵本の説明図である。
【図７】本発明の立体絵本のジャケットを示す説明図である。
【図８】本発明の立体絵本をジャケットに収納した状態を示す説明図である。
【図９】本発明の製造方法を示す説明図である。
【図１０】本発明の製造方法を示す説明図である。
【符号の説明】
１…立体絵本  ２…頁片  ３…片体  ４…表紙部  ５…連接片  ６…山折れ線  ７…立体片  ８…開いた角度  ９…保持手段  １０…短冊  １１、１４…背  １２…表表紙  １３…裏表紙  １５立体絵本保持部  １６…ジャケット
【図１】
0003783494.tif 000002
【図２】
0003783494.tif 000003
【図３】
0003783494.tif 000004
【図４】
0003783494.tif 000005
【図５】
0003783494.tif 000006
【図６】
0003783494.tif 000007
【図７】
0003783494.tif 000008
【図８】
0003783494.tif 000009
【図９】
0003783494.tif 000010
【図１０】
0003783494.tif 000011